(57)【特許請求の範囲】
【請求項１】
景品球払出装置から排出された球を受け入れる打球供給皿と、該打球供給皿からオーバーフローする球を流下させるオーバーフロー樋とが形成された機構板と、該オーバーフロー樋を介して流下する球を受け入れて貯留する球貯留皿と、前記オーバーフロー樋に充満した球によって回動する検知レバーおよび検知レバーの回動によってオン動作するスイッチとからなる遊技停止機構とを備えてなるパチンコ機において、
前記検知レバーに突起よりなる係止部を形成し、他方、前記機構板には溝孔を穿設して前記検知レバーの係止部に対応する被係止部を形成し、前記検知レバーの係止部を被係止部に係止させてなることを特徴とするパチンコ機。
【請求項２】
景品球払出装置から排出された球を受け入れる打球供給皿と、該打球供給皿からオーバーフローする球を流下させるオーバーフロー樋とが形成された機構板と、該オーバーフロー樋を介して流下する球を受け入れて貯留する球貯留皿と、前記オーバーフロー樋に充満した球によって回動する検知レバーおよび検知レバーの回動によってオン動作するスイッチとからなる遊技停止機構とを備えてなるパチンコ機において、
前記検知レバーに突出片を設けて係止部を形成し、他方、前記機構板のオーバーフロー樋と該オーバーフロー樋の流路に配設された鈴との間の隙間を前記検知レバーの係止部に対応する被係止部とし、前記検知レバーの係止部を被係止部に係止させてなることを特徴とするパチンコ機。
【請求項３】
景品球払出装置から排出された球を受け入れる打球供給皿と、該打球供給皿からオーバーフローする球を流下させるオーバーフロー樋とが形成された機構板と、該オーバーフロー樋を介して流下する球を受け入れて貯留する球貯留皿と、前記オーバーフロー樋に充満した球によって回動する検知レバーおよび検知レバーの回動によりアクチュエータ片を押圧しオン動作するスイッチとからなる遊技停止機構とを備えてなるパチンコ機において、
前記検知レバーに突出片を設けて係止部を形成し、他方、前記機構板と前記スイッチのアクチュエータ片との間の隙間を前記検知レバーの係止部に対応する被係止部とし、前記検知レバーの係止部を被係止部に係止させてなることを特徴とするパチンコ機。
【発明の詳細な説明】
【０００１】
【産業上の利用分野】
本発明は、打球供給皿からオーバーフローする球を球貯留皿に導くオーバーフロー樋に球が充満すると遊技を停止状態にする遊技停止機構を設けたパチンコ機に関するものである。
【０００２】
【従来の技術】
従来、この種の遊技停止機構を設けたパチンコ機は、例えば実開平３−１２２８８１号公報に記載のものが知られている。この遊技停止機構は、図１３および図１４に示すように機構板１００に形成されたオーバーフロー樋１０１内に配設される検知レバー１０２と、該検知レバー１０２に対応して機構板１００に固着されるスイッチ１０３とにより構成されている。検知レバー１０２は、下端が軸１０４により回動自在に軸支されると共に、上端に横向きのレバー片１０２ａが一体に形成されており、通常はコイルスプリング１０５により付勢されて図１４実線のようにレバー片１０２ａがオーバーフロー樋１０１内に引込んだ状態に保持されている。そして、オーバーフロー樋１０１内に球が充満すると、その充満した球によって検知レバー１０２が押圧されて図１４鎖線のようにコイルスプリング１０５の付勢に抗して回動しこれのレバー片１０２ａがオーバーフロー樋１０１の切欠溝１０１ａから突出してスイッチ１０３のアクチュエータ片１０３ａを押圧し、該スイッチをオン動作させ、これによって打球発射用のモータを停止する等して遊技を行なえないようにしている。
【０００３】
【発明が解決しようとする課題】
従来の遊技停止機構において、検知レバー１０２は、オーバーフロー樋１０１内に軸支された状態で該オーバーフロー樋１０１の開口上面に取着されるカバー１０６によって外れないように支持されているだけであるため、カバー１０６が装着されていない状態では簡単に外れて脱落してしまうという問題点があった。
【０００４】
特に、最近のパチンコ機は流れ作業によって組立てられており、検知レバー１０２とカバー１０６とが別工程で組付けられているため、その工程の途中で検知レバー１０２が脱落するという事態が多く発生して作業性を著しく悪くしていた。
【０００５】
本発明は、従来技術の有するこのような問題点にかんがみてなされたものであり、その目的とするところは、簡単な構成により、検知レバーがオーバーフロー樋から脱落するのを防止するようにして組立て時の作業性を向上させようとするものである。
【０００５】
【課題を解決するための手段】
上記目的を達成するために、本発明は、景品球払出装置から排出された球を受け入れる打球供給皿と、該打球供給皿からオーバーフローする球を流下させるオーバーフロー樋とが形成された機構板と、該オーバーフロー樋を介して流下する球を受け入れて貯留する球貯留皿と、前記オーバーフロー樋に充満した球によって回動する検知レバーおよび検知レバーの回動によってオン動作するスイッチとからなる遊技停止機構とを備えてなるパチンコ機において、前記検知レバーに係止部を設け、機構板には検知レバーの係止部に対応させて被係止部を設け、検知レバーの係止部を被係止部に係止させるようにしたものである。
【０００６】
【作用】
検知レバーに形成した係止部は、機構板の被係止部に係止することによって検知レバーが機構板から外れて脱落するのを確実に防止するように機能する。
【０００７】
【実施例】
以下、本発明の実施例を図面を参照して説明する。図１は本発明が適用されるパチンコ機の正面図、図２はその裏面図である。図において、１はパチンコ機、２はその前面枠、３は前面枠２の裏面に着脱自在に装着された遊技盤である。前面枠２の下方部には打球供給皿４と球貯留皿５とが設けられ、遊技盤３の裏面には機構板６が開閉可能に装着されている。
【０００８】
機構板６は、図２に示すように遊技盤３の裏面と相対する前面側に入賞球集合部７が形成されている。また、機構板６の裏面の上部には景品球タンク８が固着されている。景品球タンク８の下方には景品球を整列して景品球払出装置９へ導くためのタンクレール１０が設けられている。景品球払出装置９の下方には、払い出された景品球を打球供給皿４に導く景品球排出樋１１と、打球供給皿４に景品球が充満しているとき、該打球供給皿４からの余剰景品球を球貯留皿５にオーバーフローさせるオーバーフロー樋１２が形成されており、該オーバーフロー樋１２の下端出口付近に遊技停止機構１３が配設される。２３は景品球排出樋１１およびオーバーフロー樋１２の開口に被着されたカバー板、２４はオーバーフロー樋１２内に設けられた鈴である。この鈴２４は、打球供給皿４からオーバーフローする景品球が衝突して音を発生し、その音によって景品球が球貯留皿５にオーバーフローされていることを遊技者に報知するものである。
【０００９】
遊技停止機構１３は、図３および図４に示すように検地レバー１４とスイッチ１５とにより大略構成される。検知レバー１４は、オーバーフロー樋１２内に配設されて下端の筒部１４ａを、機構板６に突設された軸１６に嵌挿して回動自在に軸支されており、上端には円弧状をなす横向きのレバー片１７が一体に形成されている。また、レバー片１７の先端にはストッパー部１８が形成されている。そして、オーバーフロー樋１２内に球が充満していない通常時にはコイルスプリング１９によって図７実線のようにレバー片１７の先端がオーバーフロー樋１２の側壁に形成した切欠溝２０から外力に僅かに突出した状態に付勢され、ストッパー部１８によってその位置に弾発保持されている。なお、前記軸１６は、図８に示すように大径部１６ａと小径部１６ｂとを有し、筒部１６ａの先端のみを大径部１６ａで受けるようにして検知レバー１４の回動時の接触摩擦を少なくするようにしている。
【００１０】
前記スイッチ１５は、本実施例ではマイクロスイッチによる接点が常開形式のものであり、検知レバー１４に対向させてオーバーフロー樋１２の外方に位置した機構板６に固着されている。そして、これのアクチュエータ片２１と検知レバー１４のレバー片１７の先端とが接触状に位置されている。また、スイッチ１５は、打球発射用モータ２２の電源回路に接続されており、オーバーフロー樋１２内に球が充満していない通常時は電源回路を閉成して遊技が可能な状態に維持されている。そして、この状態でオーバーフロー樋１２内に球が充満すると、その球によって検知レバー１４が図７鎖線のように押されてコイルスプリング１９による付勢に抗して回動し、これのレバー片１７でスイッチ１５のアクチュエータ片２１を押圧して該スイッチ１５をオン動作させる。これによって、打球発射用モータ２２の電源回路が開成されて該モータ２２による打球の発射が停止される。なお、これまでに説明した事柄は大旨公知である。
【００１１】
しかして、本発明では、パチンコ機の組立て時における検知レバー１４の脱落を防止する手段として、図５に示すように前記検知レバー１４のストッパー部１８に係止部としての一例の突起２５を形成し、該突起２５に対応するオーバーフロー樋１２の側壁下方に位置した機構板６に被係止部としての一例の溝孔２６を開設している。
【００１２】
これによって、検知レバー１４はオーバーフロー樋１２内に装着された状態において突起２５が溝孔２６に嵌まり込んで脱落しないように係止保持されることになる。従って、パチンコ機の組立て時において、検知レバー１４を取付けた後、カバー板２３を装着しない状態で機構板６を次の工程に移動させたり、持ち運ぶようなことがあっても検知レバー１４が機構板から外れて脱落するようなことがなくなり、作業性が高められることになる。
【００１３】
図９ないし図１２は他の実施例を示すもので、図９および図１０は検知レバー１４のレバー片１７に係止部としての一例の薄い板状の突出片２７を設け該突出片２７をオーバーフロー樋１２の前壁１２ａと鈴２４との間の隙間に位置させるようにしたものである。
【００１４】
また、図１１および図１２は検知レバー１４のストッパー部１８先端を直角に折曲げて係止部としての一例の突出片２８を形成し、該突出片２８を機構板６の後面とスイッチ１５のアクチュエータ片２１との間の隙間に位置させるようにしたものである。
【００１５】
【発明の効果】
以上説明したように、本発明によれば、遊技停止機構を構成する検知レバーに係止部を設け、該係止部を機構板の被係止部に係止させることにより、流れ作業によるパチンコ機の組立て時等に検知レバーが機構板から外れて脱落するような事態を確実に防止することができ、作業性を著しく高めることができる。
【００１６】
また、構造が簡単であるため検知レバーの組付けも従来と全く同じように無理なく容易に達成することができる。
【図面の簡単な説明】
【図１】本発明に係るパチンコ機の正面図である。
【図２】図１の裏面図である。
【図３】遊技停止機構部分の斜視図である。
【図４】カバー板を外して示す遊技停止機構部分の斜視図である。
【図５】検知レバーを取外して示す遊技停止機構取付部分の斜視図である。
【図６】要部の横断平面図である。
【図７】作用を説明する要部の正面図である。
【図８】検知レバーの軸支部分の断面図である。
【図９】検知レバーの他の実施例を示す斜視図である。
【図１０】図９の検知レバーの使用状態を示す斜視図図である。
【図１１】検知レバーのさらに他の実施例を示す斜視図図である。
【図１２】図１１の検知レバーの使用状態を示す斜視図である。
【図１３】従来技術の説明図である。
【図１４】従来技術の説明図である。
【符号の説明】
４        打球供給皿
５        球貯留皿
６        機構板
９        景品球払出装置
１２      オーバーフロー樋
１３      遊技停止機構
１４      検知レバー
１５      スイッチ
２１      アクチュエータ片（被係止部）
２４      鈴（被係止部）
２５      突起（係止部）
２６      溝孔（被係止部）
２７      突出片（係止部）
２８      突出片（係止部）
【図１】
0003678768.tif 000002
【図２】
0003678768.tif 000003
【図３】
0003678768.tif 000004
【図４】
0003678768.tif 000005
【図５】
0003678768.tif 000006
【図６】
0003678768.tif 000007
【図７】
0003678768.tif 000008
【図８】
0003678768.tif 000009
【図９】
0003678768.tif 000010
【図１１】
0003678768.tif 000011
【図１０】
0003678768.tif 000012
【図１２】
0003678768.tif 000013
【図１３】
0003678768.tif 000014
【図１４】
0003678768.tif 000015